(57)【特許請求の範囲】
【請求項１】
建物の外壁の室内側に断熱改修を行う施工方法であって、
（ａ）建物の既存の外壁の室内側に板状断熱材を直接設置する工程、
（ｂ）室内側コーナー部に設置した前記板状断熱材の室内側の表面に、折り曲げられた板状材からなる二枚の平板部とその間の屈曲部とを有するコーナー用下地材を設置する工程、
（ｃ）前記屈曲部に室内側から前記コーナー用下地材及び前記板状断熱材を貫通して前記外壁の隅部の構造部材にビスを打込み、前記板状断熱材及び前記コーナー用下地材を前記外壁に固定する工程、及び
（ｄ）内装仕上げ用下地材または仕上げ材を前記平板部に固定する工程
を有することを特徴とする前記方法。
【請求項２】
前記板状断熱材は、圧縮強さが１５Ｎ／ｃｍ２以上、圧縮弾性率が５００Ｎ／ｃｍ２以上の押出発泡ポリスチレン板からなる請求項１記載の方法。
【請求項３】
建物の外壁の断熱構造であって、
前記外壁に直接設置された板状断熱材と、
前記建物の室内側コーナー部に設置された前記板状断熱材の室内側の表面に設けられたコーナー用下地材であって、折り曲げられた板状材からなる二枚の平板部とその間の屈曲部とを有する前記コーナー用下地材と、ここで、室内側から前記屈曲部及び前記板状断熱材を貫通して前記壁の隅部の構造部材に打ち込まれたビスにより、前記板状断熱材及び前記コーナー用下地材が前記壁に固定されており、
前記平板部に固定された内装仕上げ用下地材または仕上げ材と
を備えることを特徴とする前記断熱構造。
【発明の詳細な説明】
【技術分野】
【０００１】
本発明は、断熱改修施工の際に使用する室内壁コーナー用下地材を用いた断熱改修施工方法に関する。詳しくは、在来の軸組み工法や枠組み工法等を用いた既存の木造建築物の室内を断熱改修施工する際に、板状断熱材および石膏ボード等の内装仕上げ用下地材を固定するコーナー用下地材を用いた断熱改修施工方法および断熱構造に関する。
【背景技術】
【０００２】
従来から、木造住宅等の既存建物の外壁の室内側に断熱改修を目的に断熱材や石膏ボード等の施工を行う場合、既存の内装用石膏ボードや仕上げ合板、並びにその壁内側の柱や間柱の間に断熱材が充填された外壁構成材料を一度撤去した後に、新たな断熱材の施工および内装仕上げが行なわれている。しかし、この手法では、手間および時間がかかるとともに、施工時に騒音、振動、および埃などが発生し、居住を継続しながらの施工は難しい問題がある。また、撤去した廃材は産業廃棄物として処理する必要があり、コストの増大の要因ともなる。このため、断熱改修を目的に既存建物の外壁の室内側に断熱材や内装仕上げ用下地材となる石膏ボードを施工する場合は、既設の外壁の室内側内装仕上げ用下地材である石膏ボードや仕上げ用合板を撤去せず、既設のこれら室内側仕上げ材の表面に、断熱材に石膏ボード等を積層した断熱パネルや木製枠材と断熱材とを組みあわせて一体化したパネルを、釘等を用いて外壁構造躯体の室内側に留めつける断熱改修が行われている（特許文献１〜４）。
【先行技術文献】
【特許文献】
【０００３】
【特許文献１】特開２０１５−０６８０４１号公報
【特許文献２】特開２０１５−０４８８６９号公報
【特許文献３】特開２０１３−１２４４９０号公報
【特許文献４】特開２０１２−１６７５３５号公報
【発明の概要】
【発明が解決しようとする課題】
【０００４】
従来の方法で既存建物の外壁の室内側に断熱改修を行う場合には、室内側の内装仕上げ用下地材となる石膏ボードまたは仕上げ合板を施工するために、室内側の隅角部（または窓周りなど）に、石膏ボードを留めつけるための木製下地等を施工する必要がある。しかし、この木製下地が設置されると断熱板が隅角部に設置されないこととなり、木製下地が断熱層である断熱板を分断して断熱欠損部、すなわち熱橋が発生する。そのため、特に外壁の隅角部において、冬期に室内側の表面温度の低下をもたらし、ひいては外壁の室内側表面に結露を発生させる要因ともなり得るとの問題があった。
【０００５】
従って、本発明の主な目的は、既存建物の外壁の室内側に断熱改修を行う際に、特に隅角部において、木製下地等を使用せずに断熱材や石膏ボード等の内装仕上げ用下地材を施工することのできるコーナー用下地材を用いた断熱施工方法、および、これによる断熱構造を提供することである。
【課題を解決するための手段】
【０００６】
本発明者らは、上記課題に鑑み、既存建物の外壁の室内側に断熱改修を行う際に、隅角部に木製下地等を施工する代わりに、折り曲げられた板状材からなるコーナー用下地材を用いることで、断熱欠損を生じさせることなく断熱材を施工することができることを見出し、本発明を完成させた。
【０００７】
本発明の一実施形態は、建物の外壁の室内側に断熱改修を行う施工方法であって、（ａ）建物の既存の外壁の室内側に板状断熱材を直接設置する工程、（ｂ）室内側コーナー部に設置した前記板状断熱材の室内側の表面に、折り曲げられた板状材からなる二枚の平板部とその間の屈曲部とを有するコーナー用下地材を設置する工程、（ｃ）前記屈曲部に室内側から前記コーナー用下地材及び前記板状断熱材を貫通して前記外壁の隅部の構造部材にビスを打込み、前記板状断熱板及び前記コーナー用下地材を前記外壁に固定する工程、および（ｄ）内装仕上げ用下地材または仕上げ合板を前記平板部に固定する工程を有することを特徴とする前記方法を提供する。
【０００８】
また、本発明の一実施形態は、建物の外壁の断熱構造であって、前記外壁に直接設置された板状断熱材と、前記建物の室内側コーナー部に設置された前記板状断熱材の室内側の表面に設けられたコーナー用下地材であって、折り曲げられた板状材からなる二枚の平板部とその間の屈曲部とを有する前記コーナー用下地材と、ここで、室内側から前記屈曲部及び前記板状断熱材を貫通して前記壁の隅部の構造部材に打ち込まれたビスにより、前記板状断熱材及び前記コーナー用下地材が前記壁に固定されており、前記平板部に固定された内装仕上げ用下地材または仕上げ材とを備えることを特徴とする前記断熱構造を提供する。
【発明の効果】
【０００９】
本発明の断熱改修施工法および断熱構造によると、断熱材を分断する木製下地が無いため断熱欠損が生じず、冬期の室内側表面温度の低下及び表面結露の発生を防止（又は低減）することができる。また木製下地を施工する手間が省けるため、断熱施工の工期の短縮につながる。さらに、石膏ボード（または仕上げ合板）を固定するビスが必要最小限の長さで済むため、施工性及び経済性に優れる。
【図面の簡単な説明】
【００１０】
【図１】本発明の一実施形態で用いるコーナー用下地材の例を示す斜視図である。
【図２】本発明の一実施形態に係る断熱改修施工方法を示す、建物の室内側コーナー部の平断面図である。
【図３】従来の木製下地を用いた施工方法の一例を示す、建物の室内側コーナー部の平断面図である。
【図４】本発明の他の実施形態に係る断熱改修施工方法を示す、建物の室内側コーナー部の平断面図である。
【発明を実施するための形態】
【００１１】
図１〜３を用いて本発明の一実施形態の断熱改修施工方法に用いるコーナー用下地材を説明する。本発明の一実施形態の断熱改修施工方法に用いるコーナー用下地材１は、Ｌ型に折り曲げられた板状材よりなり、直角に位置する二枚の平板部２ａ、２ｂと、二枚の平板部２ａ、２ｂ間の屈曲部３とを有する。屈曲部３は、好ましくは複数の貫通孔４を有し、貫通孔４は、コーナー用下地材１を取り付ける際に取り付け用ビス６０を通すための孔である。平板部２ａ，２ｂは屈曲部３を挟んで直角に位置し、一体的に構成されている。平板部２ａ、２ｂの屈曲部３から開放端までの辺の長さ５，６（平板部２ａ、２ｂの幅）はそれぞれ、コーナー用下地材１上に設置する石膏ボード４０の厚さと石膏ボード４０の端部から石膏ボード固定用のビス５０の取り付け位置までの距離を加えた長さ５１よりも長く設定されている（図２参照）。そのため、平板部２ａ、２ｂは、石膏ボード４０を固定するのに十分な幅を有する。
【００１２】
コーナー用下地材１は、石膏ボード固定用ビスの引き抜き強さを確保できる材料で作製される。具体的には、鋼、鉄、アルミニウム合金等の機械的強度に優れた金属製、または硬質プラスチック材料とすることもできる。また、コーナー用下地材１の厚みは、同様の理由から材質にもよるが一例として０．３ｍｍ以上、好ましくは０．５ｍｍ以上であり、また石膏ボード４０と断熱板３０ａ、３０ｂとの間に過度のすきまを生じさせない観点から、厚みは一例として３ｍｍ以下、好ましくは２ｍｍ以下とすることができる。
【００１３】
次に本発明の一実施形態に係る断熱改修施工方法について、主に図２及び図３を用いて説明する。従来の施工方法では、図３に示すように、最初に既存建物の外壁８０の室内側の隅角部上に石膏ボード４０を留めつけるための木製下地２１を施工する。その後、石膏ボード４０と断熱材３０ｃ，３０ｄが積層され一体化されたパネルを建物の室内側に設置し、石膏ボード４０を木製下地２１にビスで留めつけて断熱施工を行う。この際、石膏ボード４０と一体化された断熱材３０ｃ、３０ｄは木製下地２１を挟んで分断されることとなる。そのため、従来の工法では、木製下地２１の部分が断熱欠損の原因となり、冬期の表面温度の低下や室内側に結露を発生させるなどの問題が生じていた。
【００１４】
本発明の一実施形態に係る断熱改修施工方法では図２に示すように、最初に既存建物の外壁８０の室内側に板状断熱材３０ａ，３０ｂを直接設置する。板状断熱材３０ａ、３０ｂの壁８０への設置は、例えば両面テープや接着剤を用いて行うことができる。板状断熱材３０ａ、３０ｂの間に隙間を生じさせないように、板状断熱材３０ａ、３０ｂを室内側隅角部に敷き込むことが断熱性を高める点から好ましい。
【００１５】
板状断熱材としては合成樹脂発泡体製の板状断熱材が軽量でありながら断熱性・耐水性・耐圧性に優れる点で好ましい。特に独立気泡を有する合成樹脂発泡体が好適である。具体的には、例えばポリスチレン系発泡体、ポリエチレン系発泡体、ポリプロピレン系発泡体、ポリウレタン系発泡体、フェノール系発泡体等の独立気泡を有する合成樹脂発泡体が好適である。特に押出発泡ポリスチレン（商品名「スタイロフォーム」（登録商標）：ダウ化工株式会社製）は、その高い断熱性および低い吸水性の故に最も好ましい。一例として合成樹脂発泡体製の板状断熱材は、圧縮強さが１５Ｎ／ｃｍ２以上、圧縮弾性率が５００Ｎ／ｃｍ２以上の押出発泡ポリスチレン板を用いることが好ましい。このような板状断熱材を用いることにより、板状断熱材を補助部材を用いて壁または天井構成材料にしっかりと取り付けた場合にも板状断熱材が潰れたり大きく圧縮変形したりせず、かつ補助部材のがたつきや振れを防止することができる。
【００１６】
続いて、室内側コーナー部７０の板状断熱材３０ａ、３０ｂの表面に、コーナー用下地材１を設置する。コーナー用下地材１は、室内側コーナー部７０の上から下までの全域にわたって、つまり室内側コーナー部７０が天井と接する箇所から、床と接する箇所まで通して設置することが好ましい。
【００１７】
次に、コーナー用下地材１の屈曲部３の室内側から、コーナー用下地材１及び板状断熱材３０ａ、３０ｂを貫通して既存の外壁８０の隅部の構造部材２０にビス６０を打込み板状断熱材３０ａ、３０ｂ及びコーナー用下地材１を壁８０に固定する。ビス６０はコーナー用下地材の屈曲部３に形成された貫通孔４を通して打込むことができる。固定を強固にするために、ビス６０は一定間隔を開けて、複数本打込むことが好ましい。また、ビス６０は板状断熱材３０ａ、３０ｂ及びコーナー用下地材１を壁８０の隅部の構造部材２０にしっかりと固定できるだけの十分な長さを有するものを用いる。
【００１８】
その後、石膏ボード４０または仕上げ合板（内装仕上げ用下地材または仕上げ材）をコーナー用下地材１の平板部２ａ，２ｂに複数のビス５０で固定する。石膏ボード４０はコーナー用下地材１の平板部２ａ，２ｂを貫通して断熱板３０ａ，３０ｂに到達してもかまわない。なお、本実施形態では内装材として石膏ボード４０を用いる実施形態を示したが、石膏ボード４０の代わりに仕上げ合板を用いた場合でも同様に行うことができる。
【００１９】
（他の実施形態）
図４を用いて、本発明の他の実施形態の断熱改修施工方法について説明する。図４（ａ）に示すように、コーナー用下地材１１は、二枚の平板部２ａ、２ｂ間の角度が直角ではなく、９０度超である。この構成は、室内のコーナー部７１が垂直ではなく９０度超の角度で構成されている場合に適用できる。また、図４（ｂ）に示すように、９０度未満の角度のコーナー部を有する室内に適用する場合、コーナー用下地材１２の二枚の平板部２ａ、２ｂ間の角度が９０度未満であってもよい。また、図４（ｃ）に示すように、曲がったコーナー部を有する室内に適用する場合、曲がったコーナー用下地材１３を用いるとよい。
【００２０】
すなわち、本発明において、「折り曲げられた板状材からなる二枚の平板部とその間の屈曲部とを有するコーナー用下地材」には、二枚の平板部間の角度が任意の角度（０超〜１８０未満）である構成、又はコーナー用下地材が曲がった構成も含まれる。コーナー用下地材が曲がった構成の場合には、コーナー用下地材１３のうち二枚の平板部及び屈折部をどこに設定するかは任意である。
【符号の説明】
【００２１】
１，１１，１２，１３  コーナー用下地材
２ａ，２ｂ  平板部
３  屈曲部
４  貫通孔
５  平板部２ａの幅
６  平板部２ｂの幅
２０  構造部材
２１  木製下地
３０ａ，３０ｂ，３０ｃ，３０ｄ  断熱板
４０  石膏ボードまたは仕上げ合板（内装仕上げ用下地材または仕上げ材）
５０  石膏ボード固定用ビス
６０  コーナー用下地材取り付け用ビス
７０，７１  室内側コーナー部
８０  既存の外壁
【図１】
0006626324.tif 000002
【図２】
0006626324.tif 000003
【図３】
0006626324.tif 000004
【図４】
0006626324.tif 000005